(57)【要約】      （修正有）【課題】ホワイトボード等の垂直な筆記面に対して連続して筆記をする場合は、インキ収容筒内のインキが筒底側に流動して通気孔を塞ぎ、インキ収容筒内の圧力が高まりペン芯からインキ漏れることのない直液式筆記具を提供する。【解決手段】ペン芯１と、前記ペン芯１が圧入嵌合されるペン芯保持管２を備えたペン芯ホルダー３と、前記ペン芯保持管２の後方に配置され、前記ペン芯１の後端が内底面に当接し、内部にインキを収容するインキタンク４とからなる直液式筆記具であって、前記ペン芯保持管内壁面または前記ペン芯外周面に螺旋状の通気溝２１を形成し、前記ペン芯１を地面に対して水平および垂直に位置させた際、前記インキが前記ペン芯保持管後端に到達しないことを特徴とする。【選択図】図１
2010228120.tif 000002
【特許請求の範囲】
【請求項１】
ペン芯と、前記ペン芯が圧入嵌合されるペン芯保持管を備えたペン芯ホルダーと、前記ペン芯保持管の後方に配置され、前記ペン芯後端が内底面に当接し、内部にインキを収容するインキタンクとからなる直液式筆記具であって、
前記ペン芯保持管内壁面または前記ペン芯外周面に螺旋状の通気溝を形成し、
前記ペン芯を地面に対して水平および垂直に位置させた際、前記インキが前記ペン芯保持管後端に到達しないことを特徴とする直液式筆記具。
【発明の詳細な説明】
【技術分野】
【０００１】
本発明は、インキタンク内にインキを収容した直液式筆記具に関する。尚、本発明において、「前方」、「前端」とはペン芯側を指し、「後方」、「後端」とは容器側を指す。
【背景技術】
【０００２】
インキタンク内にインキを収容し、フェルト体を挿入したフェルト保持管を前記インキタンクに嵌設した直液式筆記具は既に知られている（例えば、特許文献１参照）。
特許文献１には、インキ収容筒と、フェルト保持管と、フェルト保持管に通気間隙を設けて、フェルト体を挿入したことを特徴とする直液式筆記具の記載がある。
【特許文献１】実公昭３５−２８７１０号公報
【発明の開示】
【発明が解決しようとする課題】
【０００３】
特許文献１には、フェルト体がフェルト保持管に挿嵌されていて安定的であるとともに過剰にインキを吸収することなく、筆記時は、インキ収容筒のフェルト板部分に吸収されたインキの範囲内で適量に流出するものであり、通気間隙および通気孔を通じて空気置換するので、インキの流出が円滑に行われるとの効果を奏する記載がある。
しかし、特にホワイトボード等の垂直な筆記面に対して連続して筆記をする場合は、インキ収容筒内のインキが筒底側に流動して通気孔を塞ぎ、インキ収容筒内の圧力が高まるとフェルト体側からインキ漏れを生じる問題があった。
【課題を解決するための手段】
【０００４】
上記の課題を解決するために完成された第１の発明の直液式筆記具は、ペン芯と、前記ペン芯が圧入嵌合されるペン芯保持管を備えたペン芯ホルダーと、前記ペン芯保持管の後方に配置され、前記ペン芯後端が内底面に当接し、内部にインキを収容するインキタンクとからなる直液式筆記具であって、前記ペン芯保持管内壁面または前記ペン芯外周面に螺旋状の通気溝を形成し、前記ペン芯を地面に対して水平および垂直に位置させた際、前記インキが前記ペン芯保持管後端に到達しないことを特徴とする。
【発明の効果】
【０００５】
本発明は、特にホワイトボード等の垂直な筆記面に対して、ペン芯上向きで連続して筆記をする場合であっても、ペン芯にインキタンク内のインキが供給され続けるため、インキタンク内のインキが全て消費されるまで筆記線がかすれることはない。
また、前記ペン芯を地面に対して水平および垂直に位置させた際、前記インキが前記ペン芯保持管後端に到達しない。
そのため、ペン芯下向きの状態では、インキタンクからのインキの供給が停止され、直液式筆記具において従来から課題とされてきた、ペン芯下向きでのペン先からのインキ漏れを防止することができる。また、インキはペン芯保持管後端に到達しないため、通気溝を塞ぐことがなく、インキタンク内の圧力が高まってもペン芯からインキ漏れを生じることはない。
また、ペン芯上向きの状態でも、インキはペン芯保持管後端に到達しないため、通気溝を塞ぐことがなく、インキタンク内の圧力が高まってもペン芯からインキ漏れを生じることはない。
また、ペン芯横向きの状態でも、インキはペン芯保持管後端に到達しないため、通気溝を塞ぐことがなく、インキタンク内の圧力が高まってもペン芯からインキ漏れを生じることはない。
また、筆記具が前後左右に揺り動かされた場合、インキが通気溝に流入した場合でも、流入するインキ量はごく僅かであるため、通気溝を塞ぐことがない。そのため、インキタンク内の圧力が高まってもペン芯からインキ漏れを生じることはない。
また、前記ペン芯保持管内壁面または前記ペン芯外周面に螺旋状の通気溝を形成したため、通気溝にごく僅かに進入したインキも、螺旋状の通気溝が移動の障害となり、通気溝を伝ってインキ漏れを生じることはない。
【発明を実施するための最良の形態】
【０００６】
次に、本発明の好ましい実施の形態を図１から図５に基づいて詳細に説明する。
ペン芯１は、例えばアクリル繊維、ポリエステル繊維、ナイロン繊維、ビニロン繊維を原料とし、該原料を樹脂で固めたり、或いは焼結させた繊維質ペン芯を使用できる。
【０００７】
ペン芯保持管２は、前記ペン芯が圧入嵌合される管体で、内壁面に螺旋状の通気溝２１を削成する。ここで、削成とは、切り削って形成することをいう。螺旋のピッチ、巻き数は、適宜設定可能であり、また、形成位置も、前端から後端まで全長にわたって形成しても、部分的に形成してもよいものである。
【０００８】
ペン芯ホルダー３は、前後端が開口した筒状体で、前方に向かって縮径し、前端内周面と前記ペン芯保持管２の外周面が嵌着する。
【０００９】
インキタンク４は、前端が開口した有底筒体で、前端開口部と前記ペン芯ホルダー３の後端とが嵌着する。インキタンク４には、インキ５を収容する。本発明のインキとしては、水性、油性、染料系、顔料系、を適宜採用することができる。
前記インキタンク４の内底面には、前記ペン芯１の後端が当接する。
また、前記インキタンク４の内底面は、後方に向かって縮径された先細りの形状にしてもよい。
【００１０】
インキタンク４の外周面には、外筒６を嵌着させてもよい。外筒６は、必須構成ではないが、インキタンク４が比較的小さい場合、手掛かりとして有用である。
【００１１】
また、前記通気溝２１は、ペン芯保持管２の内壁面ではなく、前記ペン芯１の外周面に形成してもよい。この場合、ペン芯を作製する際に螺旋状の通気溝を削成する。
また、ペン芯保持管２とペン芯ホルダー３は、一体に成型してもよいし、一部品毎成型してもよい。
【００１２】
ここで、ペン芯保持管２、ペン芯ホルダー３、インキタンク４の材質には合成樹脂製のプラスチックを使用することができる。
また、図示しないが、ペン芯ホルダー３をキャップで被嵌する。
【００１３】
本発明の実施形態は、ペン芯１を圧入嵌合したペン芯保持管２をペン芯ホルダー３に嵌着し、インキ５を収容したインキタンク４を、前記ペン芯ホルダー３の後端に嵌着する。
【００１４】
次に、インキタンク４にインキ５を収容するに際し、本発明の構成について図３から図５に基づいて詳細に説明する。
図３は、ペン芯１を地面に対して水平に位置させた状態であり、インキ５の水面は、前記ペン芯保持管２の後端に到達させない。
図４は、ペン芯１を下向きにして、ペン芯１を地面に対して垂直に位置させた状態であり、インキ５の水面は、前記ペン芯保持管２の後端に到達させない。
図５は、ペン芯１を上向きにして、ペン芯１を地面に対して垂直に位置させた状態であり、インキ５の水面は、前記ペン芯保持管２の後端に到達させない。
また、図示しないが、ペン芯１を地面に対して斜め上向き及び斜め下向きに位置させた状態でも、インキ５の水面は、前記ペン芯保持管２の後端に到達させない。
以上の条件を満たすようにインキを収容する。
【００１５】
本発明の実施形態は以上のような構成であり、次にその作用について詳細に説明する。
本発明は、前記ペン芯１を地面に対して水平および垂直に位置させた際、及び、ペン芯１を地面に対して斜め上向き及び斜め下向きに位置させた際、前記インキが前記ペン芯保持管後端に到達しないように設計されている。
そのため、ペン芯横向き（図３）、ペン芯下向き（図４）、ペン芯上向き（図５）、ペン芯斜め上向き及びペン芯斜め下向き（図示しない）の状態で、通気溝２１にインキ５が侵入することがなく、インキタンク４内の圧力が高まってもペン先からインキが漏れることはない。
また、筆記具は通常持ち運ばれるものであるため、その際、筆記具本体は、前後左右に揺り動かされる。すると、瞬間的にインキ５が、前記ペン芯保持管後端に接触することがあるが、通気溝に流入するインキ量はごく僅かであるため、通気溝を塞ぐことがない。そのため、インキタンク４内の圧力が高まってもペン芯１からインキ漏れを生じることはない。
また、前記ペン芯保持管内壁面または前記ペン芯外周面に螺旋状の通気溝２１を形成したため、通気溝にごく僅かに進入したインキも、螺旋状の通気溝２１がインキ移動の障害となり、通気溝２１を伝ってインキ漏れを生じることはない。
【００１６】
以上、本発明を前記実施形態により説明したが、本発明はこれらに限定されるものではなく、本発明の要旨を逸脱しない範囲内で種々の改良、変形が可能であることは勿論である。
【図面の簡単な説明】
【００１７】
【図１】本発明直液式筆記具の断面図
【図２】本発明のペン芯保持管を示す図
【図３】ペン芯横向き状態を示す断面図
【図４】ペン芯下向き状態を示す断面図
【図５】ペン芯上向き状態を示す断面図
【符号の説明】
【００１８】
１    ペン芯
２    ペン芯保持管
２１  通気溝
３    ペン芯ホルダー
４    インキタンク
５    インキ
６    外筒
【図１】
2010228120.tif 000003
【図２】
2010228120.tif 000004
【図３】
2010228120.tif 000005
【図４】
2010228120.tif 000006
【図５】
2010228120.tif 000007